(57)【要約】【課題】パネル表示部と観察者の距離に関わらず、パネル表示部に対して一定の角度でしかも眺めるポイントがずれることなく眺めることができる。【解決手段】写真プリンタの仕上がり画像をパネル表示部２にシミュレート表示するパネルモニタ１において、パネル表示部２の少なくとも上下に配置され、またはパネル表示部２の少なくとも左右に配置され、パネル表示部２を見る角度によって、見え方が変化する観察位置確認手段４を有する。観察位置確認手段４は、観察窓４０と、観察窓４０の後方に配置され、観察窓４０を通して見る角度によって、見え方が変化する観察位置マーク４１とを有する。【選択図】図４
2005352095.tif 000002
【特許請求の範囲】
【請求項１】
写真プリンタの仕上がり画像をパネル表示部にシミュレート表示するパネルモニタにおいて、
前記パネル表示部の少なくとも上下に配置され、前記パネル表示部を見る角度によって、見え方が変化する観察位置確認手段を有することを特徴とする写真プリンタのパネルモニタ。
【請求項２】
写真プリンタの仕上がり画像をパネル表示部にシミュレート表示するパネルモニタにおいて、
前記パネル表示部の少なくとも左右に配置され、前記パネル表示部を見る角度によって、見え方が変化する観察位置確認手段を有することを特徴とする写真プリンタのパネルモニタ。
【請求項３】
前記観察位置確認手段は、
観察窓と、
前記観察窓の後方に配置され、前記観察窓を通して見る角度によって、見え方が変化する観察位置マークとを有することを特徴とする請求項１または請求項２に記載の写真プリンタのパネルモニタ。
【請求項４】
前記観察位置マークは、前記パネル表示部を見る角度によって、見え方が変化する色また形状が変化する標識であることを特徴とする請求項３に記載の写真プリンタのパネルモニタ。
【請求項５】
前記観察位置確認手段を、モニタ中心に対して対称位置に配置することを特徴とする請求項１乃至請求項４のいずれか１項に記載の写真プリンタのパネルモニタ。
【請求項６】
前記観察位置確認手段を、前記パネル表示部の枠体に備えることを特徴とする請求項１乃至請求項５のいずれか１項に記載の写真プリンタのパネルモニタ。
【請求項７】
前記パネル表示部を、首振り自在な角度調節機構を介して支持部に備えることを特徴とする請求項１乃至請求項６のいずれか１項に記載の写真プリンタのパネルモニタ。
【発明の詳細な説明】
【技術分野】
【０００１】
この発明は、写真プリンタの仕上がり画像をシミュレート表示する写真プリンタのパネルモニタに関するものである。
【背景技術】
【０００２】
従来、プリント位置にセットされた写真フィルムのコマに対して、写真プリントする前に、その位置確認や、コマの濃度や色を調べて補正するために、撮像手段とモニタとを設け、モニタを介してコマを観察することができるようにしたモニタ付き写真プリンタが知られている（例えば、特許文献１）。
【０００３】
このモニタには、カラー液晶パネルが用いられ、ＣＲＴのように奥行が長くなることがなくコンパクトであり、装置を小型化及びコンパクト化することができる他、低電圧動作・低消費電力等の利点もあるが、液晶パネルは表示コントラストが見る方向に依存しているため、視野角度が制約される。
【０００４】
したがって、パネル正面の正規観察位置からずれた位置で斜めに観察すると、色ずれ等がおこる不都合があるため、液晶パネルの正規観察位置を知ることができるようにした写真プリンタのパネルモニタが提案されている（例えば、特許文献２）。
【特許文献１】特開平１−２９８３３９号公報（第１頁〜第８頁、図１〜図１０）
【特許文献２】特開平６−８２９２７号公報（第１頁〜第６頁、図１〜図６）
【発明の開示】
【発明が解決しようとする課題】
【０００５】
しかしながら、特許文献２では、図９に示すように、液晶パネル１００の前方位置で設けた照準器１０１と、液晶パネル１００の正規観察位置に観察者がいる状態で照準器１０１を介してパネル枠を見たときにこの視野線Ｌ１上に設けた正規観察位置マーク１０２とを備えた構造であり、液晶パネル１００の正規観察位置Ｐ１〜Ｐ３等が視野線Ｌ１上に複数位置することになる。
【０００６】
したがって、液晶パネル１００の視野線Ｌ１上でも、例えば正規観察位置Ｐ１または正規観察位置Ｐ３等では、液晶パネル１００と観察者の距離が変わると眺めるポイントが上下方向にずれることになる。
【０００７】
この発明は、かかる点に鑑みてなされたもので、パネル表示部と観察者の距離に関わらず、パネル表示部に対して一定の角度でしかも眺めるポイントがずれることなく眺めることができる写真プリンタのパネルモニタを提供することを目的としている。
【課題を解決するための手段】
【０００８】
前記課題を解決し、かつ目的を達成するために、この発明は、以下のように構成した。
【０００９】
請求項１に記載の発明は、写真プリンタの仕上がり画像をパネル表示部にシミュレート表示するパネルモニタにおいて、
前記パネル表示部の少なくとも上下に配置され、前記パネル表示部を見る角度によって、見え方が変化する観察位置確認手段を有することを特徴とする写真プリンタのパネルモニタである。
【００１０】
請求項２に記載の発明は、写真プリンタの仕上がり画像をパネル表示部にシミュレート表示するパネルモニタにおいて、
前記パネル表示部の少なくとも左右に配置され、前記パネル表示部を見る角度によって、見え方が変化する観察位置確認手段を有することを特徴とする写真プリンタのパネルモニタである。
【００１１】
請求項３に記載の発明は、前記観察位置確認手段は、
観察窓と、
前記観察窓の後方に配置され、前記観察窓を通して見る角度によって、見え方が変化する観察位置マークとを有することを特徴とする請求項１または請求項２に記載の写真プリンタのパネルモニタである。
【００１２】
請求項４に記載の発明は、前記観察位置マークは、前記パネル表示部を見る角度によって、見え方が変化する色また形状が変化する標識であることを特徴とする請求項３に記載の写真プリンタのパネルモニタである。
【００１３】
請求項５に記載の発明は、前記観察位置確認手段を、モニタ中心に対して対称位置に配置することを特徴とする請求項１乃至請求項４のいずれか１項に記載の写真プリンタのパネルモニタである。
【００１４】
請求項６に記載の発明は、前記観察位置確認手段を、前記パネル表示部の枠体に備えることを特徴とする請求項１乃至請求項５のいずれか１項に記載の写真プリンタのパネルモニタである。
【００１５】
請求項７に記載の発明は、前記パネル表示部を、首振り自在な角度調節機構を介して支持部に備えることを特徴とする請求項１乃至請求項６のいずれか１項に記載の写真プリンタのパネルモニタである。
【発明の効果】
【００１６】
前記構成により、この発明は、以下のような効果を有する。
【００１７】
請求項１に記載の発明によれば、観察位置確認手段がパネル表示部の少なくとも上下に配置され、パネル表示部を見る角度によって、見え方が変化することで、パネル表示部と観察者の距離に関わらず、パネル表示部に対して一定の角度でしかも眺めるポイントがずれることなく眺めることができる。
【００１８】
請求項２に記載の発明によれば、観察位置確認手段がパネル表示部の少なくとも左右に配置され、パネル表示部を見る角度によって、見え方が変化することで、パネル表示部と観察者の距離に関わらず、パネル表示部に対して一定の角度でしかも眺めるポイントがずれることなく眺めることができる。
【００１９】
請求項３に記載の発明によれば、観察位置確認手段が、観察位置マークが観察窓を通して見る角度によって、見え方が変化する簡単な構造である。
【００２０】
請求項４に記載の発明によれば、パネル表示部を見る角度によって、観察位置マークの色が変化し、また形状が変化する標識であり、簡単な構成で見え方を変化させることができる。
【００２１】
請求項５に記載の発明によれば、観察位置確認手段を、モニタ中心に対して対称位置に配置することで、パネル表示部と観察者の距離に関わらず、眺めるポイントをモニタ中心に位置させることができる。
【００２２】
請求項６に記載の発明によれば、観察位置確認手段を、パネル表示部の枠体に備えることで、観察位置確認手段同士の配置間隔を長く設定でき、見え方が大きく変化し、確実にパネル表示部に対して一定の角度でしかも眺めるポイントがずれることなく眺めることができる。
【００２３】
請求項７に記載の発明によれば、パネル表示部が首振り自在な角度調節機構により簡単に向きを調節することができる。
【発明を実施するための最良の形態】
【００２４】
以下、この発明の写真プリンタのパネルモニタの実施の形態について説明するが、この発明は、この実施の形態に限定されない。また、この発明の実施の形態は、発明の最も好ましい形態を示すものであり、この発明はこれに限定されない。
【００２５】
まず、図１乃至図６に基づいて写真プリンタのパネルモニタを説明する。図１は写真プリンタのパネルモニタの斜視図、図２は写真プリンタのパネルモニタの側面図、図３はパネル表示部の正面図、図４はパネル表示部の断面図、図５は観察位置確認手段の斜視図、図６は観察位置確認マークが角度によって見え方が変化することを説明する図である。
【００２６】
この実施の形態の写真プリンタのパネルモニタ１は、図１及び図２に示すように、表示パネル部２と、支持部３と、一対の観察位置確認手段４とを備える。観察者６が表示パネル部２の正面に向かった状態になり、最適な状態で表示パネル部２を観察することができる。
【００２７】
表示パネル部２は、カラー液晶パネル２ａと、枠体２ｂとを有し、カラー液晶パネル２ａに写真プリンタの仕上がり画像をシミュレート表示する。この表示パネル部２は液晶パネルで構成されるが、これに限定されず、視野角の狭いパネルにも適用される。
【００２８】
支持部３は、支持台３ａと、支柱部３ｂとを有する。この支柱部３ｂの上部には、図２に示すように、保持受け部３ｃが設けられている。この保持受け部３ｃには、表示パネル部２の裏側のボール状係合部２ｃが係合され、表示パネル部２が首振り自在な角度調節機構Ａを介して支持部３に備えられている。このような保持受け部３ｃと、ボール状係合部２ｃとの他に、周知の首振り自在な他の角度調節機構を用いてもよい。
【００２９】
一対の観察位置確認手段４は、図３乃至図５に示すように、観察窓４０と、観察位置マーク４１とを有し、パネル表示部２の上下中央に配置されている。観察窓４０は、枠体２ｂに設けた箱形ケース４２の前側に形成され、この観察窓４０は、四角形状になっている。
【００３０】
観察位置マーク４１は、箱形ケース４２の内部に配置されている。この観察位置マーク４１は、パネル表示部側から外側に向けて黄色標識４１ａ、青色標識４１ｂ、赤色標識４１ｃを有する。
【００３１】
この実施の形態では、図３に示すように、観察位置確認手段４を、パネル表示部２の枠体２ｂに備え、観察位置確認手段４はモニタ中心Ｏ１に対して上下の対称位置に配置されている。
【００３２】
図４に示すように、観察者６が表示パネル部２の正面に向かった状態になり、観察位置Ｐ１１で上下に配置された観察位置確認手段４を見ると、観察窓４０を通して観察位置マーク４１の赤色標識４１ｃを見ることができる。また、観察位置Ｐ１２では、観察窓４０を通して観察位置マーク４１の青色標識４１ｂを見ることができ、観察位置Ｐ１３では、観察窓４０を通して観察位置マーク４１の黄色標識４１ａを見ることができる。
【００３３】
また、図６に示すように、観察者６が表示パネル部２の正面に向かった状態になり、モニタ中心Ｏ１に対して上方へずれた観察位置Ｐ２１で上下に配置された観察位置確認手段４を見ると、上方に配置された観察位置確認手段４では、観察窓４０を通して観察位置マーク４１の青色標識４１ｂが見え、下方に配置された観察位置確認手段４では、観察窓４０を通して観察位置マーク４１の赤色標識４１ｃが見える。このように、上下に配置された観察位置確認手段４で異なる色の標識が見えるために、観察者６はパネル表示部２を手で動かして向きを変え、上下に配置された観察位置確認手段４で図４に示すように、同じ色の標識が見えるようにする。パネル表示部２は首振り自在な角度調節機構Ａにより簡単に向きを調節することができる。
【００３４】
この実施の形態では、観察位置確認手段４がパネル表示部２の上下に配置され、パネル表示部２を見る角度によって、見え方が変化することで、パネル表示部２と観察者６の距離に関わらず、パネル表示部２に対して一定の角度でしかも眺めるポイントがずれることなく眺めることができるが、図７（ａ）に示すように、観察位置確認手段４をパネル表示部２の左右に配置してもよいし、図７（ｂ）に示すように、上下に配置し、さらに左右に配置してもよい。
【００３５】
また、観察位置確認手段４を、パネル表示部２の枠体２ｂに備えることで、観察位置確認手段４同士の配置間隔を長く設定でき、見え方が大きく変化し、確実にパネル表示部２に対して一定の角度でしかも眺めるポイントがずれることなく眺めることができる。
【００３６】
また、観察位置確認手段４が、観察位置マーク４１が観察窓４０を通して見る角度によって、見え方が変化する簡単な構造である。この観察位置マーク４１は、図１乃至図６に示すように、パネル表示部２を見る角度によって色が変化する構成であるが、図８に示すように、形状が変化する標識でもよい。標識４１ｄは三角形状であり、標識４１ｅは真円形状であり、標識４１ｆはドットを三角形状に配置した形状であり、観察窓４０を通して見る角度によって、見え方が変化する。
【産業上の利用可能性】
【００３７】
この発明は、写真プリンタの仕上がり画像をパネル表示部にシミュレート表示するパネルモニタに適用され、パネル表示部の少なくとも上下あるいは左右に配置され、パネル表示部を見る角度によって、見え方が変化する観察位置確認手段を有し、パネル表示部と観察者の距離に関わらず、パネル表示部に対して一定の角度でしかも眺めるポイントがずれることなく眺めることができる。
【図面の簡単な説明】
【００３８】
【図１】写真プリンタのパネルモニタの斜視図である。
【図２】写真プリンタのパネルモニタの側面図である。
【図３】パネル表示部の正面図である。
【図４】パネル表示部の断面図である。
【図５】観察位置確認手段の斜視図である。
【図６】観察位置確認マークが角度によって見え方が変化することを説明する図である。
【図７】パネル表示部の正面図である。
【図８】観察位置確認マークの他の実施の形態を示す図である。
【図９】従来の写真プリンタのパネルモニタの側面図である。
【符号の説明】
【００３９】
１  写真プリンタのパネルモニタ
２  表示パネル部
２ａ  カラー液晶パネル
２ｂ  枠体
３  支持部
３ａ  支持台
３ｂ  支柱部
３ｃ  保持受け部
４  観察位置確認手段
４０  観察窓
４１  観察位置マーク
４１ａ  黄色標識
４１ｂ  青色標識
４１ｃ  赤色標識
４２  箱形ケース
Ａ  角度調節機構
Ｏ１  モニタ中心
【図１】
2005352095.tif 000003
【図２】
2005352095.tif 000004
【図３】
2005352095.tif 000005
【図４】
2005352095.tif 000006
【図５】
2005352095.tif 000007
【図６】
2005352095.tif 000008
【図７】
2005352095.tif 000009
【図８】
2005352095.tif 000010
【図９】
2005352095.tif 000011